(57)【要約】      （修正有）【課題】組み立ての利便性を高めることができる組合せ式テーブルを提供する。【解決手段】組合せ式テーブルは底台１０、少なくとも２個のサポート部材２０、２個の機能体３０、少なくとも２個の結合ブロック４０、天板５０、蓋板６０を有し、底台１０は第一組み立て側１４、第一組み立て側１４に相対する第二組み立て側１５を有し、サポート部材２０は第一固定セクション２１、第二固定セクション２２、第一固定セクション２１と第二固定セクション２２の間に連接する連接セクション２３を有し、第一固定セクション２１は第一組み立て側１４と第二組み立て側１５にスライド設置され、機能体３０と第二固定セクション２２はスライドするように結合され、機能体３０は底台１０上方に懸設され、結合ブロック４０は第二固定セクション２２にそれぞれ固定され、天板５０底面は結合ブロック４０上に粘着結合され、各構成部材にモジュール化製造を採用する。【選択図】図２
0003230403.tif 000002
【実用新案登録請求の範囲】
【請求項１】
組合せ式テーブルであって、底台、少なくとも２個のサポート部材、２個の機能体、少なくとも２個の結合ブロック、天板、蓋板を有し、
前記底台は、第一組み立て側、及び第一組み立て側に相対する第二組み立て側を有し、前記第一組み立て側と前記第二組み立て側は、少なくとも１個の第一取り付け槽をそれぞれ有し、
前記少なくとも２個のサポート部材は、第一固定セクション、第二固定セクション及び前記第一固定セクションと前記第二固定セクションの間に連接される連接セクションをそれぞれ有し、前記第一固定セクションと前記第二固定セクションは、平行に設置され、前記第一固定セクションは、前記第一取り付け槽にスライドするように固定され、
前記２個の機能体は、取り付け面をそれぞれ有し、前記取り付け面には、少なくとも１個の第二取り付け槽を陥没状に設置し、前記第二取り付け槽には、前記第二固定セクションをスライドするように結合し、これにより機能体は、底台上方に懸設され、
前記少なくとも２個の結合ブロックは、前記第二固定セクションにそれぞれ固定され、
前記天板の底面は、前記結合ブロック上に粘着結合される、ことを特徴とする、
組合せ式テーブル。
【請求項２】
前記結合ブロックは、磁性能力を備え、前記サポート部材は金属材質で、前記結合ブロックは、前記サポート部材に磁性吸着され、前記各第二固定セクションは、凹槽を有し、前記結合ブロックは前記凹槽に収容され、前記第一固定セクションと前記第二固定セクションは、前記連接セクションに相対し、同一方向に延伸することを特徴とする請求項１に記載の組合せ式テーブル。
【請求項３】
前記第二取り付け槽の両側には、Ｌ形の第二ストッパー部をそれぞれ連通するように設置し、前記第二固定セクションは、縦方向の両側に沿って、Ｌ形の第一ストッパー部をそれぞれ設置し、前記第二ストッパー部に接続でき、前記連接セクションは、前記第一固定セクションと前記第二固定セクションに傾斜して連接され、前記取り付け面の片側には、傾斜状の側辺凹槽を設置し、前記第二取り付け槽に連接され、前記側辺凹槽内部には、前記連接セクションを収容して設置することを特徴とする請求項１に記載の組合せ式テーブル。
【請求項４】
前記機能体は、片側面にそれぞれスライド槽を開設し、引き出し部材を前記スライド槽にスライド設置し、前記機能体の底部には、底部封鎖部材を設置し、前記機能体の底部に蓋をし、前記引き出し部材を遮閉することを特徴とする請求項１に記載の組合せ式テーブル。
【請求項５】
前記組合せ式テーブルは、蓋板をさらに有し、前記底台の上方に蓋をし、同時に前記第一固定セクションを覆い、前記第一組み立て側の第一取り付け槽と前記第二組み立て側の第一取り付け槽は、それぞれ２個で、前記サポート部材と前記結合ブロックの数量は４個で、前記第二取り付け槽の数量は前記サポート部材と同一であることを特徴とする請求項１に記載の組合せ式テーブル。
【考案の詳細な説明】
【技術分野】
【０００１】
本考案は組合せ式テーブルに関し、特に構造がモジュール化されているため、顧客のニーズに基づき出庫時に異なる機能の付属部材を追加できる組合せ式テーブルに関する。
【背景技術】
【０００２】
従来のテーブルや机の大部分は一体成形或いは固定式である。
例えば、木製テーブル或いはスチールデスクでは、その構造形態は固定されており、顧客のニーズに基づき変えたり、別の機能を有する付属部材を追加したりすることはできない。
【０００３】
また、前述のテーブルや机では、各固定箇所の構成部材は構造上、単一の位置にしか適用できず、他の固定箇所に用いることができない。
そのため、各固定箇所に特定の構成部材が必要で、これにより全体の構成部材を増やしてしまっており、製造と組み立ての不便とコストを拡大している。
【考案の概要】
【考案が解決しようとする課題】
【０００４】
前記先行技術では、固定箇所の構成部材を単一の位置にしか適用できないため、全体の構成部材を増やしてしまっており、製造と組み立ての不便とコストを拡大している欠点がある。
【課題を解決するための手段】
【０００５】
本考案は各構成部材をモジュール化製造することで、組み立ての利便性を高めることができる組合せ式テーブルに関する。
【０００６】
本考案による組合せ式テーブルは、底台、少なくとも２個のサポート部材、２個の機能体、少なくとも２個の結合ブロック、天板、蓋板を有する。
底台は、第一組み立て側、及び第一組み立て側に相対する第二組み立て側を有する。
該第一組み立て側と該第二組み立て側は、少なくとも１個の第一取り付け槽をそれぞれ有する。
少なくとも２個のサポート部材は、第一固定セクション、第二固定セクション及び該第一固定セクションと該第二固定セクションの間に連接される連接セクションをそれぞれ有し、該第一固定セクションと該第二固定セクションは、平行に設置され、しかも該第一固定セクションは、該第一取り付け槽にスライドするように固定される。
２個の機能体は、それぞれ取り付け面を有し、該取り付け面には、少なくとも１個の第二取り付け槽を陥没状に設置し、該第二取り付け槽には、該第二固定セクションをスライドするように結合し、これにより機能体は、底台上方に懸設される。
少なくとも２個の結合ブロックは、該第二固定セクションにそれぞれ固定される。
天板底面は、該結合ブロック上に粘着結合される。
【０００７】
これにより、本考案では各構成部材にモジュール化製造を採用し、組み立ての利便性を高めることができるため、製造コストにおいて有利で、さらに出庫時に顧客のニーズに基づき、引き出し部材或いは他の付属部材を追加できるため、様々な顧客のニーズに応えることができる。
【図面の簡単な説明】
【０００８】
【図１】本考案による組合せ式テーブルの第一実施形態の外観模式図である。
【図２】本考案による組合せ式テーブルの第一実施形態の構造分解模式図である。
【図３】図１の３−３線でカットした断面模式図である。
【図４】図１の４−４線でカットした断面及び局部拡大模式図である。
【図５】本考案による組合せ式テーブルの第二実施形態の外観模式図である。
【図６】本考案による組合せ式テーブルの第二実施形態の構造分解模式図である。
【図７】本考案による組合せ式テーブルの第二実施形態の断面模式図である。
【図８】本考案による組合せ式テーブルの第三実施形態の側面模式図である。
【図９】本考案による組合せ式テーブルの第四実施形態の外観模式図である。
【考案を実施するための形態】
【０００９】
（一実施形態）
上記に述べた本考案の中心的な思想を説明するため、実施形態の形式で以下の通り詳細な説明を行う。
実施形態における各種物件は、取り上げた説明の比率に適したもので、実際の物件の比率に基づくものではないことを、ここに明記する。
【００１０】
本考案による組合せ式テーブルの第一実施形態は、図１〜図４に示す通り、組合せ式テーブル１００は、底台１０、少なくとも２個のサポート部材２０、２個の機能体３０、少なくとも２個の結合ブロック４０、天板５０、蓋板６０を有する。
【００１１】
底台１０は概ね区形状を呈し、頂面１１及び底面１２を有する。
底面１２の四隅には、それぞれ１個の脚１３を固定する。
頂面１１は、第一組み立て側１４、及び第一組み立て側１４に相対する第二組み立て側１５を有する。
第一組み立て側１４と第二組み立て側１５は、少なくとも１個の第一取り付け槽１６をそれぞれ有する。
本実施形態中では、第一組み立て側１４の第一取り付け槽１６と第二組み立て側１５の第一取り付け槽１６は、それぞれ２個で、しかも細長い槽である。
また、底台１０の頂面１１には、四隅に第一係合部１７、及び中央の適した位置に複数の係合スリップ１８をそれぞれ設置する。
【００１２】
少なくとも２個のサポート部材２０は、金属材質で概ねＵ型を呈し、しかもは枠状で、重量軽減の効果を備える。
サポート部材２０は、第一固定セクション２１、第二固定セクション２２及び第一固定セクション２１と第二固定セクション２２の間に連接する連接セクション２３をそれぞれ有する。
第一固定セクション２１、第二固定セクション２２及び連接セクション２３の断面は同一で、共に中空枠状である。
図２に示す通り、本実施形態において、サポート部材２０の数量は４個であるが、他の実施形態では２個でも良く、第一組み立て側１４と第二組み立て側１５はそれぞれ１個である。
第一固定セクション２１と第二固定セクション２２は、平行に設置され、しかも第一固定セクション２１と第二固定セクション２２は、連接セクション２３に相対して同一方向に延伸する。
また、連接セクション２３は、第一固定セクション２１と第二固定セクション２２に傾斜して連接し、その傾斜角度は、大およそ底台１０の周縁と同一或いは接近している。
第一固定セクション２１は、第一取り付け槽１６にスライドするように固定され、しかも第一螺固ネジ７０を通して、底台１０に結合固定される。
組み立て後、各サポート部材２０の連接セクション２３は、底台１０に相対して、外側に位置し、サポート部材２０の第一固定セクション２１と連接セクション２３の連接部分は、おおよそ底台１０の外側に位置する。
【００１３】
各第二固定セクション２２は、円形の凹槽２２１を有し、しかも第二固定セクション２２は、縦方向の両側に沿って、Ｌ形の第一ストッパー部２２２をそれぞれ設置する。
【００１４】
機能体３０は、取り付け面３１をそれぞれ有し、取り付け面３１には、少なくとも１個の第二取り付け槽３２を陥没状に設置する。
第二取り付け槽３２には、第二固定セクション２２をスライドするように結合し、これにより機能体３０は、底台１０上方に懸設される。
本実施形態中では、機能体３０は装飾用で、或いは収容空間を有し物品を収容できる。
第二取り付け槽３２の数量と採用されるサポート部材２０の数量は同一で、共に４個である。
第二取り付け槽３２の両側には、Ｌ形の第二ストッパー部３２１をそれぞれ連通するように設置し、これにより第二固定セクション２２を第二取り付け槽３２に設置する時、第一ストッパー部２１２は第二ストッパー部３２１に接続し、両者の結合定位はさらに堅固となる。
組み立ての必要により、第二螺固ネジ７１を、機能体３０下方から上方へと通して設置し、第二固定セクション２２を固定し、両者の固定効果を強化する。
また、取り付け面３１の片側には、傾斜状の側辺凹槽３３を設置し、第二取り付け槽３２に連接し、側辺凹槽３３内部には、サポート部材２０の連接セクション２３を収容して設置し、組み立て後の外観をフラットにできる。
【００１５】
少なくとも２個の結合ブロック４０は、第二固定セクション２２の凹槽２２１にそれぞれ固定される。
本実施形態中では、結合ブロック４０の数量は４個である。
結合ブロック４０は、磁性能力を備え、磁石などで、サポート部材２０に吸着でき、これにより結合ブロック４０は凹槽２１１に堅固に定位される。
また、堅固な組み立てを目的とし、第三螺固ネジ７２により、結合ブロック４０を凹槽２１１中に固定することもできる。
【００１６】
天板５０は、ガラス材質で、天板５０の底面は各結合ブロック４０上に粘着結合され、こうして天板５０は各サポート部材２０上方に固定される。
天板５０の数量は、１個、或いは第一組み立て側１４と第二組み立て側１５の機能体３０上にそれぞれ１個の天板５０を設置することもできる。
【００１７】
蓋板６０は、底台１０の上方に蓋をし、同時にサポート部材２０の第一固定セクション２１を覆う。
これにより、天板５０下方と底台１０上方には、収納スペースが形成され、しかも蓋板６０は、美観と遮蔽に用いられながら、収納スペースに物品を収納することもでき、組合せ式テーブル１００の機能性を拡大できる。
蓋板６０の底面には、第二係合部６１を有し、第一係合部１７に対応して結合され、及び複数の係合槽６２を有し、係合スリップ１８に対応して結合され、これにより蓋板６０は、底台１０上に係合設置される。
【００１８】
特筆に値するのは、本実施形態において、機能体３０は中空状で、その底部は開放状を呈し、底部封鎖部材８０を用いて封鎖する点である。
【００１９】
こうして、本考案では各構成部材はモジュール化製造を採用し、しかも各サポート部材２０は、第一組み立て側１４と第二組み立て側１５の組み立てに適用可能で、各サポート部材２０の組み立て位置を特別に限定することはないため、組み立ての利便性を高めることができ、しかも製造上、低コストの優位性を備える。
【００２０】
本考案による組合せ式テーブルの第二実施形態である図５〜図７に示す通り、第二実施形態中において、第一実施形態と同一の符号は、同一の部品、構造、機能を表すため、再記述しない。
本実施形態中では、機能体３０は、側辺凹槽３３と異なる側面に、スライド槽３４を開設し、引き出し部材９０をスライド槽３４にスライド設置する。
しかも本実施形態中では、美観のため、各機能体３０は底部封鎖部材８０をさらに有し、機能体３０の底部に蓋をし、引き出し部材９０を遮閉する。
各機能体３０の両側には、１個の引き出し部材９０をそれぞれ設置し、使用者に物品収納の機能を提供する。
【００２１】
図８に示す通り、本考案による組合せ式テーブルの第三実施形態は、おおよそ第一実施形態と同一であるが、その違いは、各サポート部材２０と各機能体３０の底台１０に相対した組合せ方向が異なるだけである。
即ち各サポート部材２０は底台１０に反対に結合し、これにより各連接セクション２３は底台１０に相対し内側に位置する。
つまり、サポート部材２０の第一固定セクション２１と連接セクション２３の連接部分は、底台１０のおおよそ内側に位置する。
こうして、組み立て後には異なる外観を提供し、同様に前述の効果を備える。
【００２２】
本考案による組合せ式テーブルの第四実施形態は、図９に示す通り、おおよそ第一実施形態と同一である。
両者の違いは、本実施形態では面積が大きい天板５０を採用する点だけである。
【００２３】
これにより、本考案では各構成部材にモジュール化製造を採用し、組み立ての利便性を高めることができるため、製造コストにおいて有利である。
しかも出庫時に顧客のニーズに基づき、引き出し部材９０或いは他の付属部材を追加でき、様々な顧客のニーズに応えることができる。
【００２４】
前述した本考案の実施形態は本考案を限定するものではなく、よって、本考案により保護される範囲は後述する実用新案登録請求の範囲を基準とする。
【符号の説明】
【００２５】
１００  組合せ式テーブル
１０  底台
１１  頂面
１２  底面
１３  脚
１４  第一組み立て側
１５  第二組み立て側
１６  第一取り付け槽
１７  第一係合部
１８  係合スリップ
２０  サポート部材
２１  第一固定セクション
２２  第二固定セクション
２２１  凹槽
２２２  第一ストッパー部
２３  連接セクション
３０  機能体
３１  取り付け面
３２  第二取り付け槽
３２１  第二ストッパー部
３３  側辺凹槽
３４  スライド槽
４０  結合ブロック
５０  天板
６０  蓋板
６１  第二係合部
６２  係合槽
７０  第一螺固ネジ
７１  第二螺固ネジ
７２  第三螺固ネジ
８０  底部封鎖部材
９０  引き出し部材
【図１】
0003230403.tif 000003
【図２】
0003230403.tif 000004
【図３】
0003230403.tif 000005
【図４】
0003230403.tif 000006
【図５】
0003230403.tif 000007
【図６】
0003230403.tif 000008
【図７】
0003230403.tif 000009
【図８】
0003230403.tif 000010
【図９】
0003230403.tif 000011